【手続補正書】
【提出日】平成25年3月25日(2013.3.25)
【手続補正１】
【補正対象書類名】明細書
【補正対象項目名】０００５
【補正方法】変更
【補正の内容】
【０００５】
開示の実施形態は、内表面および外表面を含む連続ベルトと、ベルトの外表面とともにニップを形成する第１の外表面を含む第１のロールと、ベルトの内部に配置される放射エネルギー源と、ベルトの内部にあり、ニップの下流側でベルトの内表面に接触する第２の外表面を含む第２のロールとを備える、印刷に有用な装置を含む。第１のロールと第２のロールとの少なくとも一方は、ベルトを加熱するための内部熱源を含む。
【手続補正２】
【補正対象書類名】明細書
【補正対象項目名】０００６
【補正方法】変更
【補正の内容】
【０００６】
開示の実施形態はさらに、第１の外表面を含む第１のロールと、内表面と第１の外表面とともにニップを形成する外表面とを含む連続ベルトと、ベルトの内部にあり、ニップの下流側でベルトの内表面に接触する第２の外表面を含む第２のロールと、ベルトの内部にあり、ニップの上流側でベルトの内表面に接触する第３の外表面を含む第３のロールと、ベルトの外表面を加熱するため、ベルトの内部に配置される第１の熱源と、第１の外表面を加熱するために第１のロールの内部に配置される熱源や、第３の外表面を加熱するために第３のロールの内部に配置される熱源である第２の熱源と、を備える、印刷に有用な装置を含む。ベルトは、ニップの位置で第１のロール、第２のロール、および第３のロールの間に垂下し、ベルトは、ニップの位置で第１の外表面に対してばね力を働かせる。
【手続補正３】
【補正対象書類名】明細書
【補正対象項目名】０００７
【補正方法】変更
【補正の内容】
【０００７】
開示の実施形態はさらに、第１の外表面を含む第１のロールと、内表面と第１の外表面とともにニップを形成する外表面とを含む連続ベルトと、ベルトの内部にあり、ニップの下流側でベルトの内表面に接触する第２の外表面を含む第２のロールと、ベルトの内部にあり、ニップの上流側でベルトの内表面に接触する第３の外表面を含む第３のロールと、ベルトの外表面を加熱するための少なくとも１つの熱源を備え、ベルトが、ニップの位置で第１のロール、第２のロール、および第３のロールの間に垂下する、印刷に有用な装置において、媒体上のマーキング材料を処理する方法を含む。方法は、複数の熱源を用いてベルトの外表面を加熱することと、表面および表面上のマーキング材料を含む媒体をニップに供給することと、媒体およびマーキング材料の表面をニップの位置でベルトの外表面と接触させることとを含む。ベルトは、ニップの位置で媒体およびマーキング材料に対してばね力を働かせる。複数の熱源は、ベルトの内部に配置される放射エネルギー源を含み、放射エネルギー源は、ニップの位置でベルトの内表面上に放射エネルギーを放射するように構成され、複数の熱源は、第３のロールの内部に配置される熱源と第１のロールの内部に設けられる熱源の少なくとも一つを含む。
【手続補正４】
【補正対象書類名】特許請求の範囲
【補正対象項目名】全文
【補正方法】変更
【補正の内容】
【特許請求の範囲】
【請求項１】
内表面および外表面を含む連続ベルトと、
前記ベルトの前記外表面とともにニップを形成する第１の外表面を含む第１のロールと、
前記ベルトの内部に配置され、前記ニップの位置で前記ベルトの前記内表面上に放射エネルギーを放射するように適合された放射エネルギー源と、
前記ベルトの内部にあり、前記ニップの下流側で前記ベルトの前記内表面に接触する第２の外表面を含む第２のロールと、
を備え、
前記第１のロールと前記第２のロールとの少なくとも一方は、前記ベルトを加熱するための内部熱源を含むことを特徴とする、印刷に有用な装置。
【請求項２】
請求項１に記載の装置であって、
前記ベルトの内部にあり、前記ニップの上流側で前記ベルトの前記内表面に接触する第３の外表面を含む第３のロールをさらに備えることを特徴とする装置。
【請求項３】
請求項１に記載の装置であって、
前記ベルトが、前記内表面を含む金属と、前記外表面を形成する前記金属を覆うポリマーとからなることを特徴とする装置。
【請求項４】
請求項１に記載の装置であって、
放射エネルギー源によって放射される放射エネルギーを前記ニップの位置の前記ベルトの内表面上に反射するように、前記ベルトの内部に配置される反射器をさらに備えることを特徴とする装置。
【請求項５】
請求項１に記載の装置であって、
前記放射エネルギー源は、少なくとも一つの前記ベルトの軸方向に延在するランプからなることを特徴とする装置。
【請求項６】
請求項１に記載の装置であって、
前記ニップの位置において、前記ベルトの前記外表面は凹面状であり、前記第１の外表面の形状に一致し、
前記ニップは、前記第１の外表面の周りで、媒体が前記ニップに入る入口から媒体が前記ニップから出る出口までの間が、８ｍｍから２０ｍｍの幅を有することを特徴とする装置。
【請求項７】
請求項１に記載の装置であって、
前記第１のロールは、前記第１の外表面を加熱するための内部熱源を含むことを特徴とする装置。
【請求項８】
第１の外表面を含む第１のロールと、
内表面と前記第１の外表面とともにニップを形成する外表面とを含む連続ベルトと、
前記ベルトの内部にあり、前記ニップの下流側で前記ベルトの前記内表面に接触する第２の外表面を含む第２のロールと、
前記ベルトの内部にあり、前記ニップの上流側で前記ベルトの前記内表面に接触する第３の外表面を含む第３のロールと、
前記ベルトの前記外表面を加熱するため、前記ベルトの内部に配置される第１の熱源と、
前記第１の外表面を加熱するために前記第１のロールの内部に配置される熱源や、前記第３の外表面を加熱するために前記第３のロールの内部に配置される熱源である第２の熱源と、を備え、
前記ベルトが、前記ニップの位置で前記第１のロール、前記第２のロール、および前記第３のロールの間に垂下し、前記ベルトが、前記ニップの位置で前記第１の外表面に対してばね力を働かせることを特徴とする、印刷に有用な装置。
【請求項９】
請求項８に記載の装置であって、
前記ベルトが、前記内表面を含む金属と、前記外表面を形成する前記金属上のポリマーとからなることを特徴とする装置。
【請求項１０】
第１の外表面を含む第１のロールと、内表面と前記第１の外表面とともにニップを形成する外表面とを含む連続ベルトと、前記ベルトの内部にあり、前記ニップの下流側で前記ベルトの前記内表面に接触する第２の外表面を含む第２のロールと、前記ベルトの内部にあり、前記ニップの上流側で前記ベルトの前記内表面に接触する第３の外表面を含む第３のロールと、前記ベルトの前記外表面を加熱するための少なくとも１つの熱源を備え、前記ベルトが、前記ニップの位置で前記第１のロール、前記第２のロール、および前記第３のロールの間に垂下する、印刷に有用な装置における、媒体上のマーキング材料を処理する方法であって、
複数の熱源を用いて前記ベルトの前記外表面を加熱するステップと、
表面および前記表面上のマーキング材料を含む媒体を前記ニップに供給するステップと、
前記媒体および前記マーキング材料の表面を前記ニップの位置で前記ベルトの外表面と接触させるステップと、を含み、
前記ベルトは、前記ニップの位置で前記媒体および前記マーキング材料に対してばね力を働かせ、
前記複数の熱源は、前記ベルトの内部に配置される放射エネルギー源を含み、前記放射エネルギー源は、前記ニップの位置で前記ベルトの内表面上に放射エネルギーを放射するように構成され、
前記複数の熱源は、前記第３のロールの内部に配置される熱源と前記第１のロールの内部に設けられる熱源の少なくとも一つを含むことを特徴とする方法。